(57)【要約】      （修正有）【課題】  効果的な広告宣伝を行うことができる通信端末及び広告表示プログラムを提供する。【解決手段】  通信端末１において、ディスプレイである表示部２０は、通信状態検知部１２により通信の要求の開始が検知されると第１の広告情報を表示し、通信状態検知部１２により通信の開始が検知されると第１の広告情報の表示を停止する。したがって、通信を要求してから通信を開始するまでの間は、ユーザに第１の広告情報を提供することができる。また、表示部２０は、通信状態検知部１２により通信の終了が検知されると第２の広告情報を表示する。これにより、通信終了後は、ユーザに第２の広告情報を提供することができる。この第２の広告情報は第１の広告情報と関連しているので、第１の広告情報をユーザに対して十分に提供できなかった場合でも、第２の広告情報の表示によりユーザに広告を印象付けることができる。【選択図】  図１
2005326784.tif 000002
【特許請求の範囲】
【請求項１】
相手側通信端末に対する通信を要求し、その要求に前記相手側通信端末が応じることで前記相手側通信端末と通信が可能な通信端末であって、
前記相手側通信端末との間における通信の状態を検知する通信状態検知手段と、
当該検知に応じて情報格納手段に格納されている所定の情報を選択し、当該選択した所定の情報を表示手段に対して表示させるように指示する表示指示手段と、を備え、
前記通信状態検知手段が当該通信端末から前記相手側通信端末に対する通信の要求が開始されたことを検知すると、前記表示指示手段は第１の広告情報を選択して表示させるように指示し、
前記通信状態検知手段が当該通信端末と前記相手側通信端末との間において通信が開始されたことを検知すると、前記表示指示手段は前記第１の広告情報の表示を停止するように指示し、
前記通信状態検知手段が当該通信端末と前記相手側通信端末との間における通信が終了したことを検知すると、前記表示指示手段は前記第１の広告情報に関連する第２の広告情報を表示するように指示する、通信端末。
【請求項２】
前記通信状態検知手段が当該通信端末と前記相手側通信端末との間における通信が終了したことを検知すると、前記表示指示手段は、前記第２の広告情報と共に、前記第１の広告情報を再度表示させるための再生指示情報を表示するように指示し、
当該表示した再生指示情報がユーザによって選択されると、前記表示指示手段は、前記第１の広告情報を表示するように指示する、請求項１に記載の通信端末。
【請求項３】
前記第１の広告情報は動画データを含み、前記第２の広告情報は前記第１の広告情報に関連した情報を提供する手段に接続するための接続情報を含む請求項１又は２に記載の通信端末。
【請求項４】
相手側通信端末に対する通信を要求し、その要求に前記相手側通信端末が応じることで前記相手側通信端末と通信が可能な通信端末を、
前記相手側通信端末との間における通信の状態を検知する通信状態検知手段と、
当該検知に応じて情報格納手段に格納されている所定の情報を選択し、当該選択した所定の情報を表示手段に対して表示させるように指示する表示指示手段と、を備え、
前記通信状態検知手段が当該通信端末から前記相手側通信端末に対する通信の要求が開始されたことを検知すると、前記表示指示手段は第１の広告情報を選択して表示させるように指示し、
前記通信状態検知手段が当該通信端末と前記相手側通信端末との間において通信が開始されたことを検知すると、前記表示指示手段は前記第１の広告情報の表示を停止するように指示し、
前記通信状態検知手段が当該通信端末と前記相手側通信端末との間における通信が終了したことを検知すると、前記表示指示手段は前記第１の広告情報に関連する第２の広告情報を表示するように指示する通信端末として機能させるための、広告表示プログラム。
【発明の詳細な説明】
【技術分野】
【０００１】
本発明は、広告情報を表示するための通信端末及び広告表示プログラムに関するものである。
【背景技術】
【０００２】
従来、通信接続の際に発生する待ち時間等に、広告情報を通信端末のディスプレイに表示する方法が提案されている（例えば、下記特許文献１参照。）。
【特許文献１】特開２００２−１３２６３１号公報
【発明の開示】
【発明が解決しようとする課題】
【０００３】
しかしながら、上述の技術では、待ち時間が短い場合、すなわち通信の接続を要求してから通信を開始するまでの時間が短い場合には、広告情報のディスプレイへの表示時間も短くなってしまう。したがって、ディスプレイ表示を用いているにもかかわらず、効果的な広告宣伝ができていなかった。
【０００４】
そこで本発明は、効果的な広告宣伝を行うことができる通信端末及び広告表示プログラムを提供することを目的とする。
【課題を解決するための手段】
【０００５】
本発明の通信端末は、相手側通信端末に対する通信を要求し、その要求に相手側通信端末が応じることで相手側通信端末と通信が可能な通信端末であって、（１）相手側通信端末との間における通信の状態を検知する通信状態検知手段と、（２）当該検知に応じて情報格納手段に格納されている所定の情報を選択し、当該選択した所定の情報を表示手段に対して表示させるように指示する表示指示手段と、を備え、（ａ）通信状態検知手段が当該通信端末から相手側通信端末に対する通信の要求が開始されたことを検知すると、表示指示手段は第１の広告情報を選択して表示させるように指示し、（ｂ）通信状態検知手段が当該通信端末と相手側通信端末との間において通信が開始されたことを検知すると、表示指示手段は第１の広告情報の表示を停止するように指示し、（ｃ）通信状態検知手段が当該通信端末と相手側通信端末との間における通信が終了したことを検知すると、表示指示手段は第１の広告情報に関連する第２の広告情報を表示するように指示するものである。
【０００６】
本発明の通信端末によれば、通信の要求の開始を検知すると第１の広告情報を表示し、通信の開始を検知すると第１の広告情報の表示を停止するので、通信を要求してから通信を開始するまでの間は、通信端末のユーザに対して第１の広告情報を提供することができる。更に、通信の終了を検知すると第２の広告情報を表示するので、通信終了後には、通信端末のユーザに対して第２の広告情報を提供することができる。また、この第２の広告情報は第１の広告情報と関連しているので、通信を開始するまでにかかった時間が短く、第１の広告情報を通信端末のユーザに対して十分に提供できなかった場合でも、第２の広告情報を表示することにより、通信端末のユーザに広告を印象付けることができる。よって、効果的な広告宣伝を行うことが可能となる。
【０００７】
また、本発明の通信端末は、通信状態検知手段が当該通信端末と相手側通信端末との間における通信が終了したことを検知すると、表示指示手段は、第２の広告情報と共に、第１の広告情報を再度表示させるための再生指示情報を表示するように指示し、当該表示した再生指示情報がユーザによって選択されると、表示指示手段は、第１の広告情報を表示するように指示することも好ましい。
【０００８】
第２の広告情報と共に再生指示情報を表示し、通信端末のユーザにより再生指示情報が選択されると第１の広告情報を表示するので、通信終了後であっても、通信端末のユーザに第１の広告情報を提供することができる。そのため、広告宣伝効果をいっそう向上させることができる。
【０００９】
また、本発明の通信端末では、第１の広告情報は動画データを含み、第２の広告情報は第１の広告情報に関連する情報を提供する手段に接続するための情報情報を含むことも好ましい。
【００１０】
第１の広告情報は動画データを含むので、通信端末のユーザに対して第１の広告情報をより視覚的に印象付けることができる。第２の広告情報は第１の広告情報に関連する情報を提供する手段に接続するための接続情報を含むので、例えばその接続情報がＵＲＬといったネットワーク上のロケーション情報であれば、第１の広告情報の詳細を紹介するサイトへのアクセスが可能になる。よって、第１の広告情報を見て興味を持った通信端末のユーザに、より詳細な情報を提供することができるため、広告宣伝による更に大きな効果が期待できる。
【００１１】
また、本発明の広告表示プログラムは、相手側通信端末に対する通信を要求し、その要求に相手側通信端末が応じることで相手側通信端末と通信が可能な通信端末を、相手側通信端末との間における通信の状態を検知する通信状態検知手段と、当該検知に応じて情報格納手段に格納されている所定の情報を選択し、当該選択した所定の情報を表示手段に対して表示させるように指示する表示指示手段と、を備え、通信状態検知手段が当該通信端末から相手側通信端末に対する通信の要求が開始されたことを検知すると、表示指示手段は第１の広告情報を選択して表示させるように指示し、通信状態検知手段が当該通信端末と相手側通信端末との間において通信が開始されたことを検知すると、表示指示手段は第１の広告情報の表示を停止するように指示し、通信状態検知手段が当該通信端末と相手側通信端末との間における通信が終了したことを検知すると、表示指示手段は第１の広告情報に関連する第２の広告情報を表示するように指示する通信端末として機能させるものである。
【００１２】
本発明の広告表示プログラムによれば、通信端末を、通信の要求の開始を検知すると第１の広告情報を表示し、通信の開始を検知すると第１の広告情報の表示を停止するよう動作させるので、通信を要求してから通信を開始するまでの間は、通信端末のユーザに対して第１の広告情報を提供することができる。通信端末を、通信の終了を検知すると第２の広告情報を表示するよう動作させるので、通信終了後に、通信端末のユーザに対して第２の広告情報を提供することができる。また、この第２の広告情報は第１の広告情報と関連しているので、通信を開始するまでにかかった時間が短く、第１の広告情報を通信端末のユーザに対して十分に提供できなかった場合でも、第２の広告情報を表示することにより、通信端末のユーザに広告を印象付けることができる。よって、効果的な広告宣伝を行うことが可能となる。
【発明の効果】
【００１３】
本発明によれば、効果的な広告宣伝を行うことができる。
【発明を実施するための最良の形態】
【００１４】
本発明の知見は、例示のみのために示された添付図面を参照して以下の詳細な記述を考慮することによって容易に理解することができる。引き続いて、添付図面を参照しながら本発明を実施するための形態を説明する。可能な場合には、同一の部分には同一の符号を付して、重複する説明を省略する。
【００１５】
本実施形態の通信端末について図１を参照しながら説明する。図１は、通信端末の構成を示す図である。通信端末１は、相手側通信端末２及び広告提供者側サーバ３とネットワーク（図示せず）を介して接続されている。
【００１６】
通信端末１は、ユーザにより使用される、相手側通信端末２と通信が可能な通信端末であって、例えば音声通話が可能な携帯電話機である。通信端末１は、物理的な構成要素として、ＣＰＵ（中央処理装置）、通信装置、メモリといった記憶装置、プッシュボタンといった入力装置、ディスプレイといった表示装置等を有している。また、通信端末１は、機能的な構成要素として、通信部１０と、通信状態検知部１２（通信状態検知手段）と、情報受信部１４と、情報格納部１６（情報格納手段）と、表示指示部１８（表示指示手段）と、表示部２０（表示手段）と、を有している。
【００１７】
通信部１０は、相手側通信端末２との間で情報の送受信を行う部分である。より具体的には、通信部１０は、通信端末１のユーザによる相手側通信端末２の端末番号入力に応じて、相手側通信端末２に発呼をすることにより、相手側通信端末２に対して通信を要求する。また、通信部１０は、発呼に応じて着呼処理を行った相手側通信端末２との間で情報を送受信することにより、通信を行う。また、通信部１０は、相手側通信端末２との間の呼を切断することにより、通信の切断を行う。
【００１８】
通信状態検知部１２は、相手側通信端末２との間における通信の状態を検知する部分である。通信状態検知部１２は、通信要求検知部１２０と、通信開始検知部１２２と、通信終了検知部１２４と、を有している。
【００１９】
通信要求検知部１２０は、通信端末１から相手側通信端末２に対する通信の要求が開始されたことを検知する部分である。より具体的には、通信要求検知部１２０は通信部１０を監視しており、通信部１０が相手側通信端末２に対して発呼をしたことを検知する。そして、通信部１０による発呼を検知した旨を含む要求検知通知を、表示指示部１８に出力する。
【００２０】
通信開始検知部１２２は、通信端末１から相手側通信端末２に対する通信の要求が開始されたことを検知する部分である。より具体的には、通信開始検知部１２２は通信部１０を監視しており、通信部１０が、発呼に応じて着呼処理を行った相手側通信端末２と情報の送受信を開始したことを検知する。そして、情報の送受信の開始を検知した旨を含む開始検知通知を、表示指示部１８に出力する。
【００２１】
通信終了検知部１２４は、通信端末１と相手側通信端末２との間における通信が終了したことを検知する部分である。より具体的には、通信終了検知部１２４は通信部１０を監視しており、通信部１０が相手側通信端末２との間の呼を切断したことを検知する。そして、呼の切断を検知した旨を含む終了検知通知を、表示指示部１８に出力する。
【００２２】
情報受信部１４は、広告提供者側サーバ３から送信された第１の情報及び第２の情報を受信する部分である。ここで、第１の広告情報は広告対象物に関する動画データを含んでおり、第２の広告情報は接続情報を含んでいる。接続情報とは、第１の広告情報に関連した情報を提供する手段に接続するための情報である。より具体的には、接続情報とはＵＲＬであり、第１の広告情報に関連した情報を提供する手段とは第１の広告情報の詳細を紹介するＷｅｂサイトである。また、接続情報とはテレビ電話用の電話番号であり、第１の広告情報に関連した情報を提供する手段とは第１の広告情報の詳細を紹介するテレビ電話用サイトである、としてもよい。情報情報受信部１４は、受信した第１の情報と第２の情報とを対応付けて情報格納部１６に格納する。
【００２３】
表示指示部１８は、所定の情報を表示部２０に対して表示させるように指示する部分である。ここで、所定の情報とは、情報格納部１６に格納されている第１の広告情報及び第２の広告情報である。より具体的には、表示指示部１８は、通信要求検知部１２０により出力された要求検知通知を受け取ると、情報格納部１６から第１の広告情報を選択し、この第１の広告情報の表示を表示部２０に指示する。また、表示指示部１８は、通信開始検知部１２２により出力された開始検知通知を受け取ると、第１の広告情報の表示の停止を表示部２０に指示する。また、表示指示部１８は、通信終了検知部１２４により出力された終了検知通知を受け取ると、情報格納部１６から第２の広告情報を選択する。通信終了検知部１２４は、選択した第２の広告情報の表示を表示部２０に指示すると共に、再生指示情報の表示を表示部２０に指示する。ここで、再生指示情報とは、第１の広告情報を表示部２０に再度表示させるための情報である。
【００２４】
表示部２０は、表示指示部１８から出力された指示に応じて、各種情報を表示する部分であり、より具体的には通信端末１のディスプレイである。表示部２０は表示指示部１８から第１の広告情報の表示を指示された場合には、第１の広告情報を表示し、第１の広告情報の表示の停止を指示された場合には、第１の広告情報の表示を停止する。表示部２０は、表示指示部１８から第２の広告情報及び再生指示情報の表示を指示された場合には、第２の広告情報と再生指示情報とを表示する。
【００２５】
続いて、本実施形態における通信端末１の動作について説明する。
【００２６】
図２は、通信端末１の処理を示すシーケンス図である。また、図３は、通信端末１の表示部２０による表示を示す図である。
【００２７】
図３（ａ）に示すように、通信端末１のユーザにより相手側通信端末２の端末番号が入力されると、通信部１０が相手側通信端末２に対して発呼を開始する（図２、ステップＳ６０）。通信状態検知部１２の通信要求検知部１２０は通信部１０を監視しており（図２、ステップＳ６１）、通信部１０による発呼の開始を検知する（図２、ステップＳ６２）。発呼の開始を検知した通信状態検知部１２は、要求検知通知を表示指示部１８に出力する（図２、ステップＳ６３）。表示指示部１８は、要求検知通知を受け取ると、広告提供者側サーバ３により送信された第１の広告情報及び第２の広告情報を格納している情報格納部１６から、第１の広告情報を選択し（図２、ステップＳ６４）、この第１の広告情報の表示を表示部２０に指示する（図２、ステップＳ６５）。表示部２０は、表示指示部１８による指示に応じて、図３（ｂ）に示すように第１の広告情報を表示する（図２、ステップＳ６６）。
【００２８】
通信部１０は、発呼に応じて着呼処理を行った相手側通信端末２と、通信を開始する（図２、ステップＳ６７）。これにより、通信端末１のユーザは相手側通信端末２のユーザとの音声通話が可能となる。通信状態検知部１２の通信開始検知部１２２は通信部１０を監視しており（図２、ステップＳ６８）、通信の開始を検知すると（図２、ステップＳ６９）、表示指示部１８に開始検知通知を出力する（図２、ステップＳ７０）。開始検知通知を受け取った表示指示部１８は、第１の広告情報の表示の停止を表示部２０に指示する（図２、ステップＳ７１）。表示指示部１８からの指示により、表示部２０は、第１の広告情報の表示を停止する（図２、ステップＳ７２）。
【００２９】
通信端末１のユーザが相手側通信端末２のユーザとの通話を終了する時、通信部１０は相手側通信端末２との間の呼を切断する（図２、ステップＳ７３）。通信状態検知部１２の通信終了検知部１２４は通信部１０を監視しており（図２、ステップＳ７４）、呼の切断を検知すると（図２、ステップＳ７５）、表示指示部１８に終了検知通知を出力する（図２、ステップＳ７６）。表示指示部１８は、終了検知通知を受け取ると情報格納部１６から第２の広告情報を選択し（図２、ステップＳ７７）、表示部２０にこの第２の広告情報及び再生指示情報の表示を指示する（図２、ステップＳ７８）。表示指示部１８からの指示により、表示部２０は、図３（ｃ）に示すように第２の広告情報及び再生指示情報を表示する（図２、ステップＳ７９）。図３（ｃ）に示す第２の広告情報では、「新製品の詳細についてはこちら」の部分がクリッカブルとなっており、通信端末１のユーザがこの部分をクリックすると、通信端末１は第１の広告情報の詳細を紹介するＷｅｂサイトにアクセスすることとなる。また、再生指示情報は「再生」ボタンで表示され、通信端末１のユーザがこの部分をクリックすると、表示部２０には第１の広告情報が再度表示される。
【００３０】
本実施形態の作用効果について説明する。上述のように、通信状態検知部１２が相手側通信端末２に対する通信の要求の開始を検知すると、表示部２０が第１の広告情報を表示する。その後、通信状態検知部１２が相手側通信端末２との通信の開始を検知すると、表示部２０が第１の広告情報の表示を停止する。したがって、通信を要求してから通信を開始するまでの間は、通信端末のディスプレイには第１の広告情報が表示されることとなる。また、通信状態検知部１２が相手側通信端末２との通信の終了を検知すると、表示部２０が第２の広告情報を表示する。これにより、通信終了後に、通信端末のディスプレイには第２の広告情報が表示されることとなる。第１の広告情報と第２の広告情報とは関連付けられているので、第１の広告情報を通信端末のユーザに対して十分に提供できなかった場合でも、第２の広告情報によって通信端末のユーザに広告を印象付けることができる。
【００３１】
なお、本実施形態にかかる通信端末１において、情報格納部１６は、複数の第１の広告情報及び第２の広告情報を格納しており、要求検知通知の受け取り時、表示指示部１８は第１の広告情報をランダムに選択する、としてもよい。また、第１の広告情報及び第２の広告情報には優先順位に関する情報がそれぞれ付加されており、要求検知通知の受け取り時、表示指示部１８はより優先順位が高い第１の広告情報から選択していく、としてもよい。
【００３２】
引き続いて、本実施形態の通信端末１として機能させるための広告表示プログラム４２及びそれが記録されているコンピュータ読取可能な記録媒体４について説明する。なお、広告表示プログラム４２は、通信端末１の製造時に記録媒体４に記録されるとしてもよいし、アプリケーションプログラムを配信する配信サーバ（図示せず）からネットワーク（図示せず）を介して配信され、記録媒体４に記録されるとしてもよい。図４は、広告表示プログラム４２が記録されている記録媒体４の構成を示した図である。記録媒体４としては、例えば、磁気ディスク、光ディスク、ＣＤ−ＲＯＭ、コンピュータに内蔵されたメモリなどが該当する。
【００３３】
記録媒体４は、図４に示すように、プログラムを記録するプログラム領域４０を備えている。このプログラム領域４０には、広告表示プログラム４２が記録されている。広告表示プログラム４２は、処理を統括するメインモジュール４２０と、通信モジュール４２２と、通信状態検知モジュール４２４と、情報受信モジュール４２６と、表示指示モジュール４２８と、表示モジュール４３０と、を備えて構成される。ここで、通信モジュール４２２、通信状態検知モジュール４２４、情報受信モジュール４２６、表示指示モジュール４２８、及び表示モジュール４３０のそれぞれを動作させることによって実現する機能は、上記通信端末１の通信部１０、通信状態検知部１２、情報受信部１４、表示指示部１８、及び表示部２０のそれぞれの機能と同様である。なお、この場合、上記通信端末１の情報格納部１６は、記録媒体４のデータ領域４４に情報格納部４４０として格納されていても良いし、別の記録媒体に格納されていても良い。
【図面の簡単な説明】
【００３４】
【図１】本実施形態にかかる通信端末の構成を示す図である。
【図２】通信端末の処理を示すシーケンス図である。
【図３】通信端末の表示部による表示を示す図である。
【図４】本実施形態の通信端末として機能させるための広告表示プログラムが記録されている記録媒体の構成を示した図である。
【符号の説明】
【００３５】
１・・・通信端末、１２・・・通信状態検知部、１６・・・情報格納部、１８・・・表示指示部、２０・・・表示部、４２・・・広告表示プログラム。
【図１】
2005326784.tif 000003
【図２】
2005326784.tif 000004
【図３】
2005326784.tif 000005
【図４】
2005326784.tif 000006